【手続補正書】
【提出日】平成17年8月10日(2005.8.10)
【手続補正１】
【補正対象書類名】特許請求の範囲
【補正対象項目名】請求項３
【補正方法】変更
【補正の内容】
【請求項３】
前記反応ブロックが、他の入口部からの流動性材料をよそに導くため、隣接する反応ウエルの入口部間に入口部に隣接して配置された凹部を有する請求項１に記載の平行反応装置。
【手続補正２】
【補正対象書類名】特許請求の範囲
【補正対象項目名】請求項８
【補正方法】変更
【補正の内容】
【請求項８】
前記出口部が、反応ウエルの他の領域よりも小さい内側断面寸法の出口噴出口を有し、かつ該出口噴出口と反応ウエルの他の領域との間の遷移領域が、切り立った形か或いは先細りである請求項１に記載の平行反応装置。
【手続補正３】
【補正対象書類名】特許請求の範囲
【補正対象項目名】請求項１０
【補正方法】変更
【補正の内容】
【請求項１０】
前記突起が、頂部ガスケットを押圧し反応ウエルの入口部と接触して入口部を放射状に密封する少なくとも１つの環状の突出隆起を備える請求項１に記載の平行反応装置。
【手続補正４】
【補正対象書類名】特許請求の範囲
【補正対象項目名】請求項３３
【補正方法】変更
【補正の内容】
【請求項３３】
前記突起が、開口の周りに配置された環状の突出隆起を有する請求項２９に記載の平行反応装置。
【手続補正５】
【補正対象書類名】特許請求の範囲
【補正対象項目名】請求項４２
【補正方法】変更
【補正の内容】
【請求項４２】
前記反応ブロックが、他の入口部からの流動性材料をよそに導くため、隣接する反応ウエルの入口部間に入口部に隣接して配置された凹部を有する請求項４０に記載の平行反応装置。
【手続補正６】
【補正対象書類名】特許請求の範囲
【補正対象項目名】請求項４７
【補正方法】変更
【補正の内容】
【請求項４７】
前記出口部が、反応ウエルの他の領域よりも小さい内側断面寸法の出口噴出口を有し、かつ該出口噴出口と反応ウエルの他の領域との間の遷移領域が、切り立った形か或いは先細りである請求項４０に記載の平行反応装置。
【手続補正７】
【補正対象書類名】特許請求の範囲
【補正対象項目名】請求項７２
【補正方法】変更
【補正の内容】
【請求項７２】
各々入口部及び出口部を有する複数の反応ウエルの配列を備えた反応ブロックであって、該配列の少なくとも１つの反応ウエルは、反応ブロックを貫通して配置され、該反応ブロックは、各表面の中央点に隣接する反応ブロックの対向する表面に配置された少なくとも１対の実質的に対向する凹み領域を有し、該対向凹み領域に少なくとも１つの蓋取付部品を載せている該反応ブロック。
【手続補正８】
【補正対象書類名】特許請求の範囲
【補正対象項目名】請求項７４
【補正方法】変更
【補正の内容】
【請求項７４】
前記反応ブロックが、他の入口部からの流動性材料をよそに導くため、隣接する反応ウエルの入口部間に入口部に隣接して配置された凹部を有する請求項７２に記載の反応ブロック。
【手続補正９】
【補正対象書類名】特許請求の範囲
【補正対象項目名】請求項７９
【補正方法】変更
【補正の内容】
【請求項７９】
前記出口部が、反応ウエルの他の領域よりも小さい内側断面寸法の出口噴出口を有し、かつ該出口噴出口と反応ウエルの他の領域との間の遷移領域が、切り立った形か或いは先細りである請求項７２に記載の反応ブロック。
【手続補正１０】
【補正対象書類名】特許請求の範囲
【補正対象項目名】請求項１０１
【補正方法】変更
【補正の内容】
【請求項１０１】
前記突起が、前記開口の周りに配置された環状突出隆起を更に有する請求項９９に記載の反応ブロック容器。
【手続補正１１】
【補正対象書類名】明細書
【補正対象項目名】００１２
【補正方法】変更
【補正の内容】
【００１２】
本発明の反応ブロックは、種々の実施態様を含む。例えば反応ブロックは、他の入口部から去った流動性材料を導く（ｄｉｒｅｃｔ）ため、隣接する反応ウエルの入口部間に入口部に隣接して配置された凹部を任意に有する。特定の好ましい実施態様では、各反応ウエルは、反応ブロックを貫通して配置される。他の好ましい実施態様では、１つ以上の反応ウエルは、更に該ウエル内に配置されたフィルターを有する。反応ウエルの少なくとも２つの領域は、内側又は外側断面寸法を任意に有する。更に、反応ウエル配列の出口部は、通常、ミクロウエルプレートのウエルに対応する足型を有する。また一般に出口部は、反応ウエルの他の領域よりも小さい内側断面寸法の出口噴出口を有し、該出口噴出口と反応ウエルの他の領域との間の遷移領域は、例えば切り立った形か、先細りか、或いは階段状等である。
【手続補正１２】
【補正対象書類名】明細書
【補正対象項目名】００５５
【補正方法】変更
【補正の内容】
【００５５】
図４Ａは、本発明の一実施態様による反応ブロック４００の一部切欠け概略正面図である。図示のように、反応ブロック４００は、反応ウエルの配列４０２を備え、各反応ウエル４０４は、反応ブロック４００を貫通して配置される。反応ウエル４０４は、反応ブロック本体４１２の上表面４１０から上方に延びる入口部４０６、及び反応ブロック本体４１２の下表面４１４から下方に延びる出口部４０８（例えば出口噴出口等）を有する。また図示のように、反応ブロック４００は、例えば反応ブロック４００が密封されない間に液体がこぼれた場合、例えば他の入口部から去った流動性材料を導くため、隣接する反応ウエルの入口部間に入口部に隣接して配置された凹部４１６を有する。出口部４０８は、反応ウエル４０４の他の領域よりも小さい内側断面寸法を有する。反応ウエル４０４において、出口部４０８と他の領域との間の遷移領域４１８は、切り立った形である。他の実施態様では、遷移領域４１８は、例えば先細りか、或いは階段状等である。図４Ａには示していないが、フィルター（例えば円盤状フィルター材料等）は、固体相合成中、樹脂又はその他の反応成分が出口部４０８に流れるのを防止するため、通常、遷移領域４１８に隣接して配置される。反応ブロック４００は、各表面の中央点に隣接する反応ブロック４００の対向する表面に配置された実質的に対向する凹み領域４２０も有する。この対向凹み領域４２０は、蓋取付部品、例えばラッチ本体、ラッチクラスプ、及び／又はヒンジ部品を取付けたバンド（図示せず）を載せるか、据え付けるために使用される。蓋取付部品について以下、更に検討する。
【手続補正１３】
【補正対象書類名】明細書
【補正対象項目名】００６０
【補正方法】変更
【補正の内容】
【００６０】
反応ウエル、又はその一部は、均一な内側又は外側の断面寸法を有する。しかし、特定反応ウエルの少なくとも２つの領域は、異なる内側又は外側断面寸法を有する。例えば好ましい実施態様では、出口部は、反応ウエルの他の領域よりも小さい内側断面寸法の出口噴出口として形成される。これらの実施態様では、例えば反応ウエル内の出口噴出口と他の領域との間の内側遷移領域は、切り立った形か、或いは緩やか（例えば先細り、漸増的、又は階段状等）である。これらの遷移領域は、例えば特定の固体相合成反応で使用されるフィルターの台として任意に役立つ。以下、フィルターについて以下、更に説明する。本発明の反応ウエルは、例えば図４Ｃでは、ほぼ円筒形（即ち、円形断面）として概略図示したが、他の断面形状も含む。例示すると、反応ウエルの少なくとも断片は、例えば規則的なｎ辺多角形、不規則なｎ辺多角形、三角形、正方形、丸い正方形、長方形、丸い長方形、台形、円形、又は楕円形等の内側又は外側の断面形状を任意に有する。丸い内部反応ウエル表面は、通常、角のある内部ウエル表面によって生じる望ましくない液体吸上げ作用を低下させるため、一般に好ましい。